(57)【要約】【課題】緩衝機能、ストラップ保護機能、ロック機構等を備えてもコンパクトで、製造コストを抑制できるストラップ巻取装置を提供する。【解決手段】ストラップ２を巻き取る巻取ドラム１１は、巻芯１２ａの一側にフランジを備えたドラム本体１２と、他側のフランジとを緩衝ピン１７で結合固定したものとされ、ドラム本体１２は、包囲壁１２ｃ，１２ｄを備え、遠心カム式のロック機構を有し、ストラップ２は、端末部分の輪状部が巻芯１２ａに引っ掛けられ、包囲壁１２ｃの爪軸１４で補強された部分に巻き掛けられた後、包囲壁１２ｃ，１２ｄに巻回されて、包囲壁１２ｄの緩衝ピン１７の位置する部分に巻き掛けられ、ロック機構が作動しない状態でストラップ２が全量繰り出され、ストラップ２に所定値以上の引張荷重が作用した場合には、緩衝ピン１７が剪断力により変形又は破断し、衝撃荷重が緩和されるものとする。【選択図】図５
2019076372.tif 000002
【特許請求の範囲】
【請求項１】
ランヤードのストラップ(2)を巻き取る巻取ドラム(11)が回動自在に支持されて、前記巻取ドラム(11)の回転に伴い、前記ストラップ(2)が繰り出される高所作業用安全帯のストラップ巻取装置において、
前記巻取ドラム(11)は、巻芯(12a)の一側にフランジ(12b)を備えたドラム本体(12)と、他側のフランジ(13)とを緩衝ピン(17)で結合固定したものとされ、
前記ドラム本体(12)は、多重構造の包囲壁(12c,12d)を備え、爪軸(14)を中心としてロック爪(15)が揺動する遠心カム式のロック機構を有し、
前記ストラップ(2)は、端末部分の輪状部が前記巻芯(12a)に引っ掛けられて、前記包囲壁(12c)の爪軸(14)で補強された部分に巻き掛けられた後、前記包囲壁(12c,12d)に巻回されて、前記包囲壁(12d)の緩衝ピン(17)の位置する部分に巻き掛けられ、
前記ロック機構が作動しない状態で前記ストラップ(2)が全量繰り出され、前記ストラップ(2)に所定値以上の引張荷重が作用した場合には、前記緩衝ピン(17)が剪断力により変形又は破断し、衝撃荷重が緩和されることを特徴とする安全帯のストラップ巻取装置。
【発明の詳細な説明】
【技術分野】
【０００１】
この発明は、高所作業時に作業員が墜落阻止のために装着する安全帯用のストラップ巻取装置に関するものである。
【背景技術】
【０００２】
建設現場等の高所で作業を行う作業員が装着する安全帯には、ランヤードのストラップを巻取ドラムに巻き取っておき、巻取ドラムの回転に伴い、ストラップが繰り出されるストラップ巻取装置が取り付けられることがある。
【０００３】
ストラップ巻取装置は、作業員の墜落阻止時の衝撃を緩和するため、通常、ベルト式のショックアブソーバをストラップ巻取装置と安全帯の連結部又はストラップの先端のフックの基部に介在させて使用される。このベルト式のショックアブソーバは、多重に折り重ねて織り合わされたベルトが引き裂かれることにより、衝撃を緩和するものである。
【０００４】
ところが、このようなベルト式のショックアブソーバは、必要な緩衝性を確保しようとすると、サイズが大きくなる傾向にあるため、着用した作業者が煩わしく感じる恐れがあるほか、製造コストが嵩むという問題もある。
【０００５】
その対策として、下記特許文献１，２では、ストラップ巻取装置の巻取ドラムに、ストラップに引張荷重が作用したときに引き締められる緩衝部材や破断する緩衝ピンと、巻芯を保護する補強ピン等を別途付加して、ベルト式のショックアブソーバを省略できるようにしたものが提案されている。
【０００６】
また、他の問題点として、従来のストラップ巻取装置では、巻取ドラムを収納するケースからストラップを全量引き出した際、巻取ドラムの巻芯に引っ掛けられているストラップの端末部分の縫製部が露出するものがあり、屋外で長期間使用すると、その縫製部の擦り切れや紫外線による劣化が生じることがある。
【０００７】
このため、下記特許文献３に記載されたように、巻取ドラムの内部に包囲壁を設け、ストラップを全量引き出した状態でも、ストラップの端末部分の縫製部が包囲壁内に収まっているようにした構造が一般に採用されている。
【先行技術文献】
【特許文献】
【０００８】
【特許文献１】登録実用新案第３０１１４０４号公報
【特許文献２】登録実用新案第３００９４３０号公報
【特許文献３】実開平７−３１０６１号公報
【発明の概要】
【発明が解決しようとする課題】
【０００９】
しかしながら、緩衝機能を得ると共に、ストラップの端末部分の縫製部を保護するために、上記各特許文献に記載されたような構造を採用した上で、墜落阻止時の落下距離を抑制するロック機構を備えると、巻取ドラムに巻き取れるストラップ量に対してサイズや重量が相当大きくなり、製造コストも嵩むという問題が生じる。
【００１０】
なお、ロック機構を備えたものであっても、安全帯の規格においては、ロック機構が作動せずにストラップが全量繰り出された場合を想定して、安全性を確認する試験を行う必要があり、上記特許文献１，２に記載のものは、この点を考慮して、緩衝ピン等を別途設けていることから、その構造が複雑化している。
【００１１】
そこで、この発明は、緩衝機能、ストラップ保護機能、ロック機構等を備えてもコンパクトで、製造コストを抑制できるストラップ巻取装置を提供しようとするものである。
【課題を解決するための手段】
【００１２】
上記課題を解決するため、この発明は、ランヤードのストラップを巻き取る巻取ドラムが回動自在に支持され、前記巻取ドラムの回転に伴い、前記ストラップが繰り出される高所作業用安全帯のストラップ巻取装置において、
前記巻取ドラムは、巻芯の一側にフランジを備えたドラム本体と、他側のフランジとを緩衝ピンで結合固定したものとされ、
前記ドラム本体は、多重構造の包囲壁を備え、爪軸を中心としてロック爪が揺動する遠心カム式のロック機構を有し、
前記ストラップは、端末部分の輪状部が前記巻芯に引っ掛けられて、前記包囲壁の爪軸で補強された部分に巻き掛けられた後、前記包囲壁に巻回されて、前記包囲壁の緩衝ピンの位置する部分に巻き掛けられ、
前記ロック機構が作動しない状態で前記ストラップが全量繰り出され、前記ストラップに所定値以上の引張荷重が作用した場合には、前記緩衝ピンが剪断力により変形又は破断し、衝撃荷重が緩和されるものとしたのである。
【発明の効果】
【００１３】
この発明に係るストラップ巻取装置では、ストラップに所定値以上の引張荷重が作用したときに変形又は破断する緩衝ピンを、巻取ドラムのドラム本体とフランジとを結合固定するピンが兼用するものとし、包囲壁から引き出したストラップを、ロック爪の爪軸で補強された部分に巻き掛けて、引張荷重から巻取ドラムの巻芯を保護することとしている。
【００１４】
このため、緩衝機能、ストラップ保護機能、ロック機構等を備えても軽量・コンパクト化を図ることができ、製造工程で緩衝構造部とロック機構を区別する必要もなくなり、製造コストを抑制することができる。
【００１５】
また、ストラップの端末部分の縫製部が包囲壁の間に収まり、外部に露出しないようにすることができるので、屋外での長期間使用に伴う縫製部の擦り切れや紫外線による劣化を防止する機能も確保される。
【図面の簡単な説明】
【００１６】
【図１】この発明に係るストラップ巻取装置を備えたランヤード全体を示す正面図
【図２】同上のストラップ巻取装置の巻取ドラムの分解斜視図
【図３】同上のストラップ巻取装置の（３Ａ）縦断側面図、（３Ｂ）表カバーを外した正面図
【図４】同上のストラップの端末部分の巻掛状態を示す縦断正面図
【図５】同上の緩衝ピンの変形破断状態を示す縦断正面図
【発明を実施するための形態】
【００１７】
以下、この発明の実施形態を添付図面に基づいて説明する。
【００１８】
図１に示すように、この発明に係るロック機構を備えたストラップ巻取装置１は、ドラム軸１０を中心として、アラミド繊維等の高強度繊維を用いたストラップ２を巻き取るための巻取ドラム１１がブラケット２１により回動自在に支持され、巻取ドラム１１とブラケット２１がケース３１に内蔵されたものとなっている。
【００１９】
ストラップ巻取装置１には、ストラップ２の繰出し方向と反対側に、安全帯に連結するための連結金具３が取り付けられ、ストラップ２の先端側には、フック５が取り付けられて、ランヤードを構成している。
【００２０】
図２乃至図４に示すように、巻取ドラム１１は、ドラム軸１０が挿通される円筒状の巻芯１２ａの一側にフランジ１２ｂを備えたドラム本体１２と、巻芯１２ａの他側に取り付けられる円盤状のフランジ１３とから構成されている。ドラム本体１２は、ポリアセタール等のプラスチック製とされ、フランジ１３は、ステンレス等の金属製とされている。
【００２１】
ドラム本体１２には、巻芯１２ａの外周に二重構造をなす包囲壁１２ｃ、１２ｄが径方向に僅かな間隔をあけて設けられ、内側の包囲壁１２ｃは、緩衝性を高めるため、中空構造とされている。包囲壁１２ｃ、１２ｄには、周方向において途切れた部分に、ストラップ引出口１２ｅ，１２ｆがそれぞれ形成されている。
【００２２】
フランジ１３の外面には、ドラム軸１０の近傍に位置する爪軸１４を中心として、ロック爪１５が内外方向へ揺動自在に設けられ、ロック爪１５は、爪ばね１６により内方向へ付勢されている。
【００２３】
爪軸１４は、機械構造用炭素鋼等の金属製であり、フランジ１２ｂ，１３間に挟み込まれた爪軸スペーサ１４ａに挿通され、ロック爪１５の軸穴に爪軸ブッシュ１４ｂを介して嵌められている。
【００２４】
ドラム本体１２とフランジ１３とは、巻芯１２ａから外径側へ離れた包囲壁１２ｄの部分で、周方向に並ぶ２本の緩衝ピン１７により固定されている。緩衝ピン１７は、冷間圧造用炭素鋼線等の金属から成り、フランジ１３及びドラム本体１２にそれぞれ穿設されたピン穴１３ａ，１２ｇに順次挿通されてかしめられている。
【００２５】
ブラケット２１は、機械構造用炭素鋼等の金属製の板材を二股状に折り曲げて、一方の側面に段差部２１ｄを形成したものとされている。段差部２１ｄは、巻取ドラム１１が通常の速度で回転している時には、ロック爪１５の先端部に干渉しないが、巻取ドラム１１が高速回転すると、遠心力で外方向へ揺動したロック爪１５の先端部が係合するようになっており、これによりロック機構が構成されている。
【００２６】
また、ドラム本体１２フランジ１２ｂの外側には、巻取ドラム１１にストラップ２が巻き取られる方向の回転力を付与するためのゼンマイばねが内蔵されたばねケース１８が設けられている。
【００２７】
また、ケース３１は、表カバーと裏カバーに２分割され、ねじの締め付けにより、表カバーと裏カバーが結合一体化されている（図３（３Ａ）参照）。
【００２８】
そして、図４に示すように、ストラップ２は、端末部分の輪状部が巻芯１２ａに引っ掛けられ、ストラップ２の二重に縫製された部分がストラップ引出口１２ｅを介して包囲壁１２ｃの外周側へ引き出され、包囲壁１２ｃの爪軸１４で補強された部分に巻き掛けられた後、包囲壁１２ｃ，１２ｄの間で包囲壁１２ｃに巻回される。
【００２９】
その後、ストラップ２は、ストラップ引出口１２ｆを介して包囲壁１２ｄの外周側へ引き出され、包囲壁１２ｄに巻回されて、包囲壁１２ｄの緩衝ピン１７の位置する部分に巻き掛けられ、巻き重ねるようにして、ケース３１の外部に引き出されている。
【００３０】
上記のようなストラップ巻取装置１を備えた図１に示すようなランヤードを使用して高所作業を行う場合には、作業員が装着した安全帯に連結金具３を連結し、フック５を作業場所の構造物に係止する。
【００３１】
このような状態で作業者が誤って高所から落下すると、ストラップ２が巻取ドラム１１から急速に繰り出され始め、巻取ドラム１１が高速で回転するが、巻取ドラム１１の回転に伴い発生する遠心力により外方向へ揺動したロック爪１５の先端部がブラケット２１の段差部２１ｄに係合して、巻取ドラム１１の回転が停止するので、ストラップ２の繰り出しがロックされ、作業員の落下距離が最小限に抑えられる。
【００３２】
また、ロック機構が作動しない状態でストラップ２が全量繰り出されたとき、落下しようとする作業員の慣性により、ストラップ２に所定値以上の引張荷重が作用しても、図５に示すように、緩衝ピン１７が外径方向に潰されて剪断力により変形又は破断し、衝撃荷重が緩和される。
【００３３】
上記のようなストラップ巻取装置では、ストラップ２に所定値以上の引張荷重が作用したときに破断する緩衝ピン１７を、巻取ドラム１１におけるドラム本体１２とフランジ１３とを結合固定するピンが兼用するものとし、包囲壁１２ｃのストラップ引出口１２ｅから引き出したストラップ２をロック爪１５の爪軸１４で補強された部分に巻き掛けて、引張荷重から巻取ドラム１１の巻芯１２ａを保護することとしている。
【００３４】
このため、緩衝機能、ストラップ保護機能、ロック機構等を備えても軽量・コンパクト化を図ることができ、製造工程で緩衝構造部とロック機構を区別する必要もなくなり、製造コストを抑制することができる。
【００３５】
また、ストラップ２の端末部分の縫製部が包囲壁１２ｃ、１２ｄの間に収まり、外部に露出しないようにすることができるので、屋外での長期間使用に伴う縫製部の擦り切れや紫外線による劣化を防止する機能も確保される。
【００３６】
なお、このストラップ巻取装置１は、作業者の両肩から両腿へ巻き掛けられるハーネス型安全帯への連結用のランヤード（図１参照）のほか、連結金具３等を適宜変更して、作業者の胴にのみ巻き付けられる胴ベルト用のランヤードにも適用することができる。
【符号の説明】
【００３７】
１  ストラップ巻取装置
２  ストラップ
３  連結金具
５  フック
１０  ドラム軸
１１  巻取ドラム
１２  ドラム本体
１２ａ  巻芯
１２ｂ  フランジ
１２ｃ，１２ｄ  包囲壁
１２ｅ，１２ｆ  ストラップ引出口
１２ｇ  ピン穴
１３  フランジ
１３ａ  ピン穴
１４  爪軸
１４ａ  爪軸スペーサ
１４ｂ  爪軸ブッシュ
１５  ロック爪
１６  爪ばね
１７  緩衝ピン
１８  ばねケース
２１  ブラケット
２１ｄ  段差部
３１  ケース
【図１】
2019076372.tif 000003
【図２】
2019076372.tif 000004
【図３】
2019076372.tif 000005
【図４】
2019076372.tif 000006
【図５】
2019076372.tif 000007